(57)【要約】【課題】  比較的簡単な構造であり乍ら、遊戯者にゲームとしての射幸心をあおり、以て遊戯者に多大な興味を抱かせることが出来るダーツ装置を提供すること。【解決手段】  大略台紙と、的盤と、矢羽とからなり、台紙は、表裏両面の何れの面からも自由に上記的盤を軸支できる支軸があり、的盤は、少なくともその表裏両面が磁性体材料で造られ、その一面には所定の印刷文字と自由な文字乃至図形が描ける部位があり、他面は自由な文字乃至図形が描けるように構成され、矢羽は、その先端部に磁力を保たせ、該矢羽を上記的盤の表或いは裏面に当接させた際、矢羽は直立状態を保つようになしてなる。【選択図】図１
2005046350.tif 000002
【特許請求の範囲】
【請求項１】
装置本体は、台紙と，的盤と，矢羽とからなり、
台紙は、表裏両面の何れの面からも自由に上記的盤を軸支できる支軸があり、
的盤は、少なくともその表裏両面が磁性体材料で造られ、その一面には所定の印刷文字と自由な文字乃至図形が描ける部位があり、他面は自由な文字乃至図形が描けるように構成され、
矢羽は、その先端部に磁力を保たせ、該矢羽を上記的盤の表或いは裏面に当接させた際、矢羽は直立状態を保つようにした
ことを特徴とするダーツ装置
【請求項２】
上記請求項１に示した台紙の支軸の先端には、的盤を軸支させた後該的盤の離脱を防止する磁性体材料の止め金を有する
ことを特徴とするダーツ装置
【請求項３】
上記請求項２に示した止め金には、上記矢羽が的盤の平面方向で回転できるよう取り付けられるようになした
ことを特徴とするダーツ装置
【請求項４】
上記請求項３に示した止め金に取り付けられた矢羽は、夫々の角度が自由に変えられるようになした複数で構成される
ことを特徴とするダーツ装置
【請求項５】
装置本体は、台紙と、的盤と、的盤の止め金具部材と、矢羽とからなり、
台紙は、柔軟性に富み乍らも比較的硬質の紙、樹脂、ゴムのような材料で作られ、表裏両面の何れの面からも自由に上記的盤を軸支できかつ、磁性体で作られた支軸があり、
的盤は、少なくともその表裏両面が磁性体材料で造られかつ、マジックインク等で自由に書いたり消したりできる円盤状のホワイトボード２枚を重ね合せかつ、中間にモルトプレーンのような緩衝材を介在させたことで全体を柔軟に仕上げられており、
ホワイトボードの一面には、所定の印刷文字と自由な文字乃至図形が描ける部位があり、他面は自由な文字乃至図形が描けるように構成され、
止め金具部材は、比較的硬質の紙，樹脂，ゴムのような材料で作られ、その一面に永久磁石を貼装等の手段で固定してあって、上記的盤を支軸にはめ込んだ後、この止め金具部材を支軸の先端に吸着させることで、上記的盤を自由に回転できるようになし、
矢羽は、比較的硬質の紙，樹脂，ゴムのような材料で作られ、その先端部に磁力を保たせ、該矢羽を上記的盤の表或いは裏面に当接させた際、矢羽は直立ｏｒ／ａｎｄ横倒れ状態を保つか、或いは上記止め金具部材を外してこの矢羽部材を支軸の先端に吸着させることができるようにした
ことを特徴とするダーツ装置
【発明の詳細な説明】
【技術分野】
【０００１】
本発明は、的盤を回転しながら矢を射るダーツ装置に関する。
【背景技術】
【０００２】
従来のダーツ装置は、矢羽の先端が針のように鋭った形状に形成させ、その先端で的盤を射るため、該的盤を回転させることは頗る危険である。そこで本願発明者は創意工夫の結果、遊戯者が最も興味を抱くところの、回転する的盤に矢を射る構成であり乍ら、特に安全面で優れたダーツ装置を発明した。
【０００３】
而して確かに、この種回転する的盤に矢羽を射る形式のダーツ装置として、従来の発明乃至考案は、仮令えば的盤に音楽や音声発生手段を組み込んで、該的盤を回転させるようにしたもの（特許文献１参照）や、前面と後面とに回転する的盤を有し、前面の的盤の回転動作による振動で後面のボードと前面の的盤が分離するのを防止すると共に、円滑な的盤の回転がなされるという発明（特許文献２参照）がある。
【０００４】
しかし乍ら、いずれの発明も未だこの該ダーツ装置の基本である遊戯者の射幸心を高揚させ、同遊戯者に多大な興味を持たせ得るダーツ装置は皆無である。
【特許文献１】特開２０００−０１４８４７（要約書）
【特許文献２】特開２００３−０７０９４７（要約書）
【発明の開示】
【発明が解決しようとする課題】
【０００５】
而して本発明の目的は、比較的簡単な構造であり乍ら、遊戯者にゲームとしての射幸心をあおり、以て遊戯者に多大な興味を抱かせることが出来るダーツ装置を提供するにある。
【０００６】
総じて本発明の目的は、台紙に軸支させた的盤は、これを表裏両面の何れの面からも自由に軸支できるようにしたことである。而してその一面には、１等，２等などの等級を表すような一定の印刷文字や、所定の位置に自由な文字図形などを画き、裏面には全ての面に亘ってその自由な位置に仮令えば参加者複数の名前を画き、対の色の異なった矢羽を射ってカップルを誕生させるなど、自由奔放な遊戯がなし得ることである。
【０００７】
本発明の他の目的は、的盤に矢羽を射るダーツゲームであり乍ら、仮令幼児が遊びに興じても、全く危険の無いダーツ装置を提供するものである。
【０００８】
本発明の他の目的は、ほとんど失敗することなく矢羽を的盤に略直角に押し当てることが出来るようにしたことで、遊戯者に多大な興味を抱かせる事が出来るダーツ装置を提供するものである。
【０００９】
本発明の他の目的は、上記矢羽を射るだけでなく、盤面に対し時計と針のように回転できるようにしたことで、所謂矢羽を射るだけのゲームだけでなく、他の興味あるゲームにも応用できるように工夫したことである。
【００１０】
本発明の他の目的は、上記的盤に対して回転できる矢羽はこれを数本用意し、これらを一緒にあるいは個々に廻すことが出来るようにしたことで、更に射幸心をあおり遊戯者に多大な興味を抱かせるようにしたことである。
【課題を解決するための手段】
【００１１】
而して、本発明のダーツ装置の請求項１の特徴として、装置本体は台紙と，的盤と，矢羽とからなり、台紙は表裏両面の何れの面からも自由に上記的盤を軸支できる支軸があり、的盤は少なくともその表裏両面が磁性体材料で造られ、その一面には所定の印刷文字と自由な文字乃至図形が描ける部位があり、他面は自由な文字乃至図形が描けるように構成したことで、この結果仮令ばその一面は既に印刷等施された、１等、２等・・・の表示に矢羽を貼ることで、賞品を競うなど通常の射幸心をあおるゲームとして使用し、他面は仮令ば一定のスペースで囲まれた複数人の名前を書いて、当日のカップルを決めるなどの自由なゲームが楽しめるというものである。
【００１２】
また、矢羽は、その先端部に磁力を保たせ、該矢羽を上記的盤の表或いは裏面に当接させた際、矢羽は直立状態を保つようにしたことで、当然のこと乍ら的盤と矢羽の先端は、矢羽の先端の磁力より、両者が互いに引き合うことになり、ほとんど失敗することなくその直立状態が保たれるようになっていることである。
【００１３】
さらに、請求項２の特徴は上記の台紙の支軸の先端に、的盤を軸支させた後該的盤の離脱を防止する磁性体材料の止め金を設けたことである。これにより上記的盤の取付・取外しまたは上記の裏返し作業が容易に行えるようになったのである。
【００１４】
総じて請求項３の特徴として、上記止め金は上記矢羽が的盤の平面方向で回転できるよう取り付けたことである。この結果、本発明ではかかる矢羽を射って的盤に当ることだけでなく、矢羽を上記支軸を中心として回転させることにより、かかる矢羽が指した矢先の記述を実行させるなど所謂ダーツゲームだけでなく、他のゲームにも応用できるようになったのである。
【００１５】
次に請求項４の特徴としては、上記止め金に取り付けられた矢羽は、夫々の角度が自由に変えられるようになした複数で構成されることであって、斯くなすことによって、仮令ば時計の針と同じように矢羽を長短一対のものとして回転させ、長矢羽を人名群の１つに、短矢羽はその当った人が行う余興名群の１つに当るように工夫をしておくことで、特定の人に特定の余興を行わせることができるなどのゲームを楽しむことができたのである。
【００１６】
総じて本発明の特徴は、本発明ダーツ装置が矢を射るというゲームであり乍ら、危険なことはなく幼児が遊んでも安全で、その為に、台紙は、柔軟性に富み乍らも比較的硬質の紙，樹脂，ゴムのような材料で作られること、的盤は少なくともその表裏両面が磁性体材料で造られかつ、マジックインク等で自由に書いたり消したりできる円盤状のホワイトボード２枚を重ね合せかつ、中間にモルトプレーンのような緩衝材を介在させたことで全体を柔軟に仕上げられていること、ホワイトボードの一面には、所定の印刷文字と自由な文字乃至図形が描ける部位があり、他面は自由な文字乃至図形が描けるように構成されていること、止め金具部材は、比較的硬質の紙，樹脂，ゴムのような材料で作られ、その一面に永久磁石を貼装等の手段で固定してあって、上記的盤を支軸にはめ込んだ後、この止め金具部材を支軸の先端に吸着させることで、上記的盤を自由に回転できるようになっていること、さらに矢羽は比較的硬質の紙，樹脂，ゴムのような材料で作られ、その先端部に磁力を保たせ、該矢羽を上記的盤の表或いは裏面に当接させた際、矢羽は直立or/and横倒れ状態を保つか、或いは上記止め金具部材を外してこの矢羽部材を支軸の先端に吸着させることができるようにしたことも本発明の特徴となっている。
【００１７】
なお、本発明には他に秀でた構成作用効果を有するが、これらについては以下述べる実施例で詳述することになる。
【発明の効果】
【００１８】
以上本発明の効果は、安価であり乍ら安全でしかも射幸心を高揚させるのに頗る効果が高いダーツ装置を提供することが出来たのである。
【実施例１】
【００１９】
図で（１）は台紙であり、（２）はこの台紙（１）上にあって平行に設けられた的盤であり、（３）は矢羽である。
【００２０】
台紙は比較的硬質の紙，樹脂，ゴムのような材料で造られるも、柔軟性を有し幼児が取り扱っても何等の危険性のない材料から選ばれる。
【００２１】
この台紙は通常縦方向に長い板状で、上端の中央部に部屋の壁の釘などに吊り下げるための孔（４）と、商標や取り扱いの説明文（２４）が記述されている。
【００２２】
またこの台紙（１）の中心支軸下方には図３で見られるように磁性体材料で造られた支軸（５）の末端部が台紙（１）に固着され、その先端部は台紙（１）の表面（６）から上方に突出させてある。
【００２３】
また上記的盤（２）には図６で見られるようにその表面（７）および裏面（８）が、仮令えば鉄粉を含有したような合成ゴムの磁性体で造られたホワイトボード（１１）で、その中間部をモルトプレーンなどの緩衝材（９）を介在させたものであり、その中心部に上記支軸（５）の先端部に嵌入させ得る穴（１０）がある。
【００２４】
なお上記的盤（２）は上記台紙（１）の巾よりやや狭い円盤状で、その表面（７）のホワイトボード（１１）には、予め印刷された通常の１等や２等・・・の数字（１２）が時計盤の文字配列と同じようにあり、他に自由な文字（１４）がマジックインクペン（１３）で画けるようになっている。
【００２５】
またこのホワイトボード（１１）の裏面（８）は、通常無地（白地）で、図５のように自由な位置に自由なゲームを行うための文字（１５）が画けるようになっている。
【００２６】
（１６）は止め金具部材で、比較的硬質の紙，樹脂，ゴムのような材料で造られ、上記支軸（５）の先端に磁力に吸着できる磁石（１７）が、貼装等の方法で内装されている。
【００２７】
上記矢羽（３）は比較的硬質の紙や，樹脂や，樹脂ゴムのような材料で造られ、その片方には羽根（１８）を、他方には永久磁石のような磁性体（１９）が埋め込まれている。
【００２８】
なお本発明のダーツ装置はを販売するに当っては、通常図１のように透明な樹脂カバー（２０）で覆い、台紙（１）と同カバー（２０）との間に複数本の矢羽（３）及びマジックペン（１３）を介在支持させ、一つのパッケージ商品として発売に供する。
【００２９】
而して、本発明の実施例であるダーツ装置を使用するには、矢羽（３）をカバー（２０）から外し手に持ち、同時に壁などに吊り下げられた台紙（１）に対して盤面（２）を回転させる。
【００３０】
そこで矢羽（３）を的盤（２）方向に射り、矢羽（３）の磁性体（１９）を的盤（２）に当てると、当該矢羽（３）は的盤（２）に対して直角方向で恰も突き刺さった状態となる。
【００３１】
今図２に示したものは菓子などを購入する為の所謂「あみだくじ」的なもので、買い物係や、１０００円，５００円などの出資者のスペースがあり、図のものは矢羽（３）が「無料」に当たった状態で、このようにして遊戯者に対し射幸心の高揚と興味を抱かせる事ができるのである。  
【００３２】
また、上記の止め金部材（１６）を支軸（５）の先端より取り外し、この支軸（５）の先端に図４でみられるように矢羽（３）を横倒しした状態で、かつその磁性体（１９）を定着させる。
【００３３】
次いで、この矢羽（３）の羽根（１８）の部分などを、時計方向あるいは反時計方向に廻すと、上記矢羽（３）を射るゲーム手段とは異なった別のゲーム手段で、当該ゲームを楽しむことが出来る。
【００３４】
次に上記のように支軸（５）の止め金具部材（１６）を外して、的盤（２）を反転させ、再び図５のように支軸（５）に嵌め込み、止め金部材（１６）を支軸（５）の先端に止着させる。
【００３５】
この場合、的盤（２）の裏面（８）もまたホワイトボード（１１）で造られているから、ここにマジックインクペン（１３）で、人の名前とか、行為とかの文字（１５）を一定の大きさで画いておく。
【００３６】
仮令えば図５は若者の間で流行している「王様ゲーム」と言うもので、上記のようにＡさんとＢさんのカップルを決め、適当な余興をさせると言うもので、この場合上記止め金具部材（１６）ではなく、これをその角度が自由に変更できる図の長針（２１），短針（２２），秒針（２３）のような３本の針として、これを支軸（５）に吸着させ長針（２１）と短針（２２）の指す人がそれぞれカップルの名前であり、秒針（２３）がそのカップルが行う行為を描いておけば、そのゲームがより楽しいものとなるのである。
【図面の簡単な説明】
【００３７】
【図１】包装された状態の本発明ダーツ装置の実施例表面図
【図２】同実施中の表面図
【図３】図２のａ〜ａ’線拡大断面図
【図４】他の使用実施例の表面図
【図５】他の使用実施例の表面図２
【図６】図３のｂ〜ｂ’線拡大断面図
【符号の説明】
【００３８】
１    台紙
２    的盤
３    矢羽
４    孔
５    支軸
６    表面
７    盤面表面
８    盤面裏面
９    緩衝材
１０  穴
１１  ホワイトボード
１２  数字
１３  マジックインクペン
１４  表面の文字
１５  裏面の文字
１６  止め金部材
１７  磁石
１８  羽根
１９  磁性体
２０  樹脂カバー
２１  長針のような針
２２  短針のような針
２３  秒針のような針
２４  説明文
【図１】
2005046350.tif 000003
【図２】
2005046350.tif 000004
【図３】
2005046350.tif 000005
【図４】
2005046350.tif 000006
【図５】
2005046350.tif 000007
【図６】
2005046350.tif 000008